(57)【要約】【課題】手軽に使用でき、かつ、指圧・マッサージ効果が得られる健康器具を提供することである。【解決手段】体に巻くように取り付けて用いられる健康器具であって、振動部材１ａと、前記振動部材の一端側に設けられた柔軟性がある樹脂材を用いて構成された線状体２と、前記線状体の所定位置に設けられた線状体の径より大きな径の凸部３，３ａ，３ｂと、前記振動部材の他端側に設けられた前記凸部を挿入掛止できるリング部４ａとを具備する健康器具。【選択図】　　図１
2004008720.tif 000002
【特許請求の範囲】
【請求項１】
体に巻くように取り付けて用いられる健康器具であって、
振動部材と、
前記振動部材の一端側に設けられた柔軟性がある樹脂材を用いて構成された線状体と、
前記線状体の所定位置に設けられた線状体の径より大きな径の凸部と、
前記振動部材の他端側に設けられた前記凸部を挿入掛止できるリング部
とを具備することを特徴とする健康器具。
【請求項２】
請求項１の健康器具が複数個用いられてなり、一つの健康器具の線状体の凸部を他の健康器具のリング部に挿入掛止して環状に連結してなることを特徴とする健康器具。
【請求項３】
凸部が丸状であることを特徴とする請求項１又は請求項２の健康器具。
【発明の詳細な説明】
【０００１】
【発明が属する技術分野】
本発明は健康器具に関する。
【０００２】
【発明が解決しようとする課題】
従来より、振動部材を体に当て、振動部材を振動させることでマッサージ効果を奏させる健康器具が知られている。
【０００３】
これら従来の健康器具は大掛かりなものが多く、手軽に使用できるタイプのものは無いと言っても良いほどである。
【０００４】
従って、本発明が解決しようとする課題は、手軽に使用でき、かつ、指圧・マッサージ効果が得られる健康器具を提供することである。
【０００５】
【課題を解決するための手段】
前記の課題は、体に巻くように取り付けて用いられる健康器具であって、
振動部材と、
前記振動部材の一端側に設けられた柔軟性がある樹脂材を用いて構成された線状体と、
前記線状体の所定位置に設けられた線状体の径より大きな径の凸部と、
前記振動部材の他端側に設けられた前記凸部を挿入掛止できるリング部
とを具備することを特徴とする健康器具によって解決される。
【０００６】
すなわち、例えばシリコンゴムなどの柔軟性がある合成または天然ゴムなどの樹脂を用いて、一端部および途中に複数個の節（凸部）を持つ所定長さの紐状体（線状体）を形成し、この紐状体の他端部に振動部材を連結し、この振動部材の他端部にリング部を設けておくと、前記節を前記リング部に挿入掛止してやれば、全体として環状体のものとなる。
【０００７】
従って、これを体の一部に巻くように通し、振動部材を振動させてやれば、振動部材の振動が四方八方から伝わり、心地よいマッサージ効果が奏される。そればかりか、節の部分が指圧効果を奏し、健康増進効果が著しい。
【０００８】
しかも、この健康器具は、小型なものであって、持ち運びは実に容易であり、手軽に使用できる。
【０００９】
更に、この健康器具は、一つのみでも使用できる。例えば、紐状体の長さが２０〜２５ｃｍ程度であれば、腕に対して用いることが出来る。このような場合には、ブレスレット感覚で使用できる。紐状体の長さが５０〜６０ｃｍ程度であれば、腕や脚に対して用いることが出来る。
【００１０】
そして、上記のものを二つ或いは三つ若しくは四つ〜五つ互いに連結できるから、つまり節をリング部に挿入掛止してやれば連結できて長くなるから、このようにしてやれば胴に巻くことも可能になる。
【００１１】
すなわち、複数個容易しておけば、体の各所に用いることが出来、実に、便利である。
【００１２】
尚、上記節（凸部）を丸状にしておけば、指圧効果が一段と奏される。
【００１３】
【発明の実施の形態】
図１〜図４は本発明になる健康器具の一実施形態を示すもので、図１は要部正面図、図２，３，４は使用状態の説明図である。
【００１４】
各図中、１はゴムのような軟性樹脂で構成されたケース体であり、このケース体の中には振動部材１ａが収納されている。尚、この振動部材１ａは、例えば携帯電話の着信合図用に用いられる振動装置、或いは按摩器やマッサージ器などの振動装置に用いられている構成を応用できるので、その詳細な説明は諸略される。そして、図示していないが、ケース１には各種の釦が設けられており、振動部材の振動モードを各種のモードに制御できるようになっている。尚、本実施形態では、ケース１内に振動部材を駆動する為の駆動源をも収納した例で説明するが、駆動源を別体としても良いことは勿論である。又、駆動源が別体の場合には、振動モードを制御する釦も別体に設けられても差し支えない。
【００１５】
２は、直径９ｍｍで長さが５５ｃｍの紐状体である。この紐状体２には、その基端側から５ｃｍ置きで直径２５ｍｍの略球状体３が合計で１１個設けられている。そして、紐状体２の基端部がケース体１の一端部に連結された構成である。尚、紐状体２は、ゴムのような軟性樹脂で前記のような形状に成型されたものである。本実施形態にあっては、ケース体１と紐状体２とは一体成型により成型されたものである。
【００１６】
４は、長さが５ｃｍの紐状体の先端部にリング部４ａが構成されたリング体である。このリング体４も、前記と同様な軟性樹脂でケース体１に対して一体成型されたものである。このリング体４のリング部４ａは、内径が略２５ｍｍよりも多少大きめのものである。従って、紐状体２の先端部に形成されている略球状体３ａや途中に設けられている略球状体３ｂをリング部４ａに挿入掛止できるようになっている。
【００１７】
上記のように構成された健康器具Ａの使用形態について、図２，３，４を用いて説明する。
【００１８】
図２は腕に使用した場合を示すものである。
【００１９】
この場合は、一般に、腕の回りが６０ｃｍにもなることは無いので、紐状体２の途中に設けられている略球状体３ｂをリング部４ａに挿入掛止し、これでもって腕に装着したものである。そして、腕に装着した状態において、スイッチをオンにすると、振動部材１ａが振動し、ケース体１を介して振動が腕に伝わる。かつ、振動部材１ａの振動は紐状体２にも伝わり、そして腕に圧接している略球状体３ｂを介して腕に振動が伝わる。すなわち、腕には四方八方から振動が伝わり、効果的にマッサージが行われる。特に、略球状体３ｂの個所にあっては、指圧効果も期待できる。
【００２０】
図３は脚に使用した場合を示すものである。
【００２１】
この場合は、一般に、脚の回りが６０ｃｍ程度であることから、紐状体２の先端部に形成されている略球状体３ａをリング部４ａに挿入掛止し、これでもって脚に装着したものである。そして、脚に装着した状態において、スイッチをオンにすると、振動部材１ａが振動し、ケース体１を介して振動が脚に伝わる。かつ、振動部材１ａの振動は紐状体２にも伝わり、そして脚に圧接している略球状体３ｂを介して脚に振動が伝わる。すなわち、脚には四方八方から振動が伝わり、効果的にマッサージが行われる。特に、略球状体３ａ，３ｂの個所にあっては、指圧効果も期待できる。
【００２２】
図４は胴に使用した場合を示すものである。
【００２３】
この場合は、一般に、胴の回りは６０ｃｍよりも長いことから、例えば二つ用いる。すなわち、一つの紐状体２の先端部に形成されている略球状体３ａをもう一つの紐状体２のリング部４ａに挿入掛止し、かつ、もう一つの紐状体２の途中に設けられている略球状体３ｂを一つの紐状体２のリング部４ａに挿入掛止し、これでもって胴に装着したものである。そして、胴に装着した状態において、スイッチをオンにすると、振動部材１ａ，１ａが振動し、ケース体１，１を介して振動が胴に伝わる。かつ、振動部材１ａ，１ａの振動は紐状体２，２にも伝わり、そして胴に圧接している略球状体３ａ，３ｂを介して胴に振動が伝わる。すなわち、胴には四方八方から振動が伝わり、効果的にマッサージが行われる。特に、略球状体３ａ，３ｂの個所にあっては、指圧効果も期待できる。
【００２４】
【発明の効果】
簡単で小型なものであるから、手軽に使用できる。かつ、一箇所のみでなく、四方八方から指圧・マッサージ効果が得られるので、その指圧・マッサージ効果が優れている。更には、例えば腕、脚、胴いずれにも対応でき、汎用性にも富む。
【図面の簡単な説明】
【図１】本発明の健康器具の要部正面図
【図２】本発明の健康器具を腕に使用した場合の使用状態の説明図
【図３】本発明の健康器具を脚に使用した場合の使用状態の説明図
【図４】本発明の健康器具を胴に使用した場合の使用状態の説明図
【符号の説明】
１　　　　　　　ケース体
１ａ　　　　　　振動部材
２　　　　　　　紐状体（線状体）
３，３ａ，３ｂ　略球状体（凸部）
４　　　　　　　リング体
４ａ　　　　　　リング部
【図１】
2004008720.tif 000003
【図２】
2004008720.tif 000004
【図３】
2004008720.tif 000005
【図４】
2004008720.tif 000006